(57)【要約】【課題】対物レンズをフォーカス方向、トラック方向、チルト角方向の三軸駆動する光ヘッドの対物レンズ駆動装置において、部品点数の少ないシンプルな構成で低コスト化が可能となり且つ安定した動作特性が得られるようにする。【解決手段】レンズホルダ１２は、１または２以上のトラッキング用のコイルＴｒ１１〜Ｔｒ２２と、１または２以上のフォーカシング用のコイルＦ１と、トラッキング用のコイルおよびフォーカシング用のコイルに電流を供給するとともにレンズホルダを片持ち状態で支持する複数のワイヤＷ１〜Ｗ４と、レンズホルダの下面のトラック方向に所定の間隔をもって配設される一対の可動磁石ｍ１，ｍ２とを少なくとも備え、ベース部は、レンズホルダのトラッキング用のコイルおよびフォーカシング用のコイルと対向配置されて作用する一対の固定磁石３１，３２と、各可動磁石と対向配置されて作用する左右一対のチルト角補正用のコイルＣ１，Ｃ２と、チルト角補正用のコイルに制御電流を供給する給電線５０とを少なくとも備えるように構成した。【選択図】        図１
2004295932.tif 000002
【特許請求の範囲】
【請求項１】
対物レンズを保持するレンズホルダと、該レンズホルダが介在するベース部とから構成される光ヘッドの対物レンズ駆動装置において、
前記レンズホルダは、
互いに同じ大きさの角型扁平コイルからなりレンズホルダの前面側と後面側にそれぞれ２個ずつ設けられ、これらの各面においてフォーカス方向と垂直な方向に所定の間隙で２個ずつ並設された直列接続のトラッキング用のコイルと、
前記レンズホルダのフォーカス方向と垂直な方向の周面に巻回されたフォーカシング用のコイルと、
前記レンズホルダの一方の側面に配設されてこれを支持するとともに、前記トラッキング用のコイルに制御電流を供給する第１，第２のワイヤと、
前記レンズホルダの他方の側面に配設されてこれを支持するとともに、前記フォーカシング用のコイルに制御電流を供給する第３，第４のワイヤと、
前記レンズホルダの下面の左右両端側に配設されるチルト角補正用の一対の可動磁石と、
を少なくとも備え、
前記ベース部は、
前記レンズホルダの前記トラッキング用のコイルおよびフォーカシング用のコイルと対向配置されて作用する一対の固定磁石と、
前記チルト補正用の各可動磁石と対向配置されて作用する左右一対の直列接続されたチルト角補正用のコイルと、
該チルト角補正用のコイルに制御電流を供給する給電線と、
を少なくとも備え、
前記第１ワイヤおよび前記第２ワイヤを介して供給される制御電流によりトラック方向の駆動量が制御され、前記第３ワイヤおよび前記第４ワイヤを介して供給される制御電流によりフォーカス方向の駆動量が制御されるとともに、前記給電線を介して供給される制御電流によりチルト角方向の駆動量が制御されることを特徴とする光ヘッドの対物レンズ駆動装置。
【請求項２】
対物レンズを保持するレンズホルダと、該レンズホルダが介在するベース部とから構成される光ヘッドの対物レンズ駆動装置において、
前記レンズホルダは、
１または２以上のトラッキング用のコイルと、
１または２以上のフォーカシング用のコイルと、
前記トラッキング用のコイルおよび前記フォーカシング用のコイルに電流を供給するとともに前記レンズホルダを片持ち状態で支持する複数のワイヤと、
前記レンズホルダの下面のトラック方向に所定の間隔をもって配設される一対の可動磁石と、
を少なくとも備え、
前記ベース部は、
前記レンズホルダの前記トラッキング用のコイルおよび前記フォーカシング用のコイルと対向配置されて作用する一対の固定磁石と、
前記各可動磁石と対向配置されて作用する左右一対のチルト角補正用のコイルと、
該チルト角補正用のコイルに制御電流を供給する給電線と、
を少なくとも備え、
前記各ワイヤを介して前記トラッキング用のコイルおよび前記フォーカシング用のコイルに供給される制御電流によりトラック方向およびフォーカス方向の駆動量が制御されるとともに、前記給電線を介して前記チルト角補正用のコイルに供給される制御電流によりチルト角方向の駆動量が制御されることを特徴とする光ヘッドの対物レンズ駆動装置。
【請求項３】
前記可動磁石は、前記レンズホルダの下面の左右端部の近傍位置に固着されていることを特徴とする請求項２に記載の光ヘッドの対物レンズ駆動装置。
【請求項４】
前記トラッキング用のコイルは、前記レンズホルダの前面側と後面側に複数個にわたって配設され、
前記フォーカシング用のコイルは、前記レンズホルダのフォーカス方向と垂直な方向の周面に巻回されていることを特徴とする請求項２または請求項３に記載の光ヘッドの対物レンズ駆動装置。
【請求項５】
前記トラッキング用のコイルおよび前記フォーカシング用のコイルは、前記レンズホルダの前面側および後面側にそれぞれ一対ずつ隣接して配設されると共に、前記レンズホルダの一方の面の前記トラッキング用のコイルは、他方の面のフォーカシング用のコイルと対向するように配設され、
前記固定磁石は、一方の面において、前記トラッキング用のコイルと対向する位置にＳ極とＮ極あるいはＮ極とＳ極がフォーカス方向と垂直な方向の第１の境界線を介して隣接して配置される第１の部位と、前記フォーカシング用のコイルと対向する位置にＳ極とＮ極あるいはＮ極とＳ極がフォーカス方向の第２の境界線を介して隣接して配置される第２の部位とを有し、前記第１の部位と第２の部位において隣接する同極は、一つの磁区で形成されるように磁化された一体的な強磁性体で構成されていることを特徴とする請求項２または請求項３に記載の光ヘッドの対物レンズ駆動装置。
【請求項６】
前記固定磁石において、
前記第１の境界線は、前記トラッキング用のコイルの中心点を通る直線と対向し、
前記第２の境界線は、前記フォーカシング用のコイルの中心点を通る直線と対向するように形成されていることを特徴とする請求項５に記載の光ヘッドの対物レンズ駆動装置。
【発明の詳細な説明】
【０００１】
【発明の属する技術分野】
この発明は、光ディスクや光磁気ディスクのディスクドライブ装置に備わる光ヘッドの対物レンズ駆動装置に関し、特にチルト角の調整を要する高開口数レンズを使用した光ヘッドの対物レンズ駆動装置に関する。
【０００２】
【従来の技術】
光ディスクドライブ装置において光ヘッドの対物レンズを光のフォーカス方向およびディスク上のデータ列と直交するディスクの半径方向（トラック方向）にそれぞれ変位させて位置補正を図る技術は以前より知られている。
【０００３】
フォーカス方向とトラック方向に補正を行う構成としては、対物レンズを保持するレンズホルダの側面にコイルを設け、該レンズホルダの外側に磁石を配設し、さらに、前記レンズホルダをフォーカス方向とトラック方向へ変位可能なようにワイヤで支持するとともに、このワイヤを介して前記のコイルに制御用の電流を流すようにしたものがある。このような構成によりコンパクトで且つ安価な位置補正を実現できる。
【０００４】
また、前記構成を有する位置補正機構においては、フォーカス補正用の電流を流す一対のワイヤと、トラック補正用の電流を流す一対のワイヤの合計４本のワイヤを用いるのが一般であり、このような４本のワイヤによるレンズホルダの支持は比較的安定した状態で支持および位置補正を行うことが出来る（特開２０００−３２２７５２号公報等参照）。
【０００５】
ところで、近年、光ディスクの高密度化技術が進展し、ＤＶＤ（Ｄｉｇｉｔａｌ  Ｖｅｒｓａｔｉｌｅ  Ｄｉｓｃ）では、ＣＤ（Ｃｏｍｐａｃｔ  Ｄｉｓｃ）の４〜５倍程度の記録密度が実現されている。このような高密度光ディスクを用いたディスクドライブ装置を実現するには、出射光量を大きくするために対物レンズの高開口数（ＮＡ：Ｎｕｍｅｒｉｃａｌ  Ａｐｅｒｔｕｒｅ）化したり、半導体レーザ（ＬＤ）の短波長化を推進することが必須となっている。
【０００６】
このうち、対物レンズの高ＮＡ化は、集光スポットを小径化して光ディスク上のより微小なピットまで再生することが可能となる効果を得ることができる。その反面で、光ディスクの反りや面振れによって対物レンズと光ディスクの間に傾角を生じる場合は、集光スポットのコマ収差を増加させ、集光スポットの形状を劣化させる要因となり、結果的にピックアップ信号にノイズを含むという不具合を生じる。このため、対物レンズの高ＮＡ化を実現するためには、対物レンズと光ディスクとの間に傾角を生じないように、前述のフォーカス方向とトラック方向の位置補正に加えてディスクの半径方向の傾きに合わせて対物レンズのチルト角方向の補正を行う必要がある。
【０００７】
従来、フォーカス方向、トラック方向、チルト角方向の三軸の補正が可能な光ヘッドとしては、例えば特許文献１に示されるように、フォーカス方向とトラック方向の位置補正を行う機構全体を、チルト角方向に変位可能な基板上に設置し、この基板をムービングマグネット方式（固定されたコイルと変位可能なマグネットによる駆動方式）等によりチルト角方向へ回転駆動するようにしたものがある。
【０００８】
より具体的には、特許文献１に係る「対物レンズ駆動装置」においては、ラジアルチルト方向の駆動について、４個の駆動コイルブロック内のフォーカシング駆動コイルに発生する駆動力が、対物レンズを中心にディスクの半径方向に対し互いに逆向きとなるように電流を給電することによって、ディスクの接線方向を軸とした回転方向（ラジアルチルト方向）の駆動力を得るようにしている。
【０００９】
【特許文献１】
特開２０００−２８５４９０号公報
【００１０】
【発明が解決しようとする課題】
しかしながら、上記のような構成は、チルト角の補正を行うための電流制御が複雑となるという難点を有していた。
また、レンズホルダに、フォーカス方向とトラック方向の補正を行うコイルとは別個に、傾斜角の補正を可能とする特殊なコイルを設けるとともに、このコイルに制御電流を流すためにワイヤを２本追加した構成も提案されている。しかし、このような構成では、傾斜角方向の駆動力を生じさせ、さらに取付け容易なように薄型構造の特殊なコイルが必要となり、それにより部品コストが嵩むという問題があった。さらに、三軸の駆動に６本のワイヤが必要となり、４本のワイヤを用いる構成に比べてその組み付けが困難になるという問題が生じる。すなわち、レンズホルダを支持するワイヤはそれぞれの張りを一定にして組み付けなければならないが、６本ワイヤの場合には各ワイヤが互いに干渉してその張りを一定にするのが難しい。そして、各ワイヤの張りのバラツキにより安定した動作特性が得られ難いという問題を生じる。
【００１１】
この発明の目的は、対物レンズをフォーカス方向、トラック方向、チルト角方向の三軸駆動する光ヘッドの対物レンズ駆動装置において、部品点数の少ないシンプルな構成で低コスト化が可能となり且つ安定した動作特性が得られるようにすることにある。
【００１２】
【課題を解決するための手段】
前記目的を達成するために、本願発明に係る光ヘッドの対物レンズ駆動装置は、対物レンズを保持するレンズホルダと、該レンズホルダが介在するベース部とから構成される光ヘッドの対物レンズ駆動装置において、前記レンズホルダは、１または２以上のトラッキング用のコイルと、１または２以上のフォーカシング用のコイルと、前記トラッキング用のコイルおよび前記フォーカシング用のコイルに電流を供給するとともに前記レンズホルダを片持ち状態で支持する複数のワイヤと、前記レンズホルダの下面のトラック方向に所定の間隔をもって配設される一対の可動磁石とを少なくとも備え、前記ベース部は、前記レンズホルダの前記トラッキング用のコイルおよび前記フォーカシング用のコイルと対向配置されて作用する一対の固定磁石と、前記各可動磁石と対向配置されて作用する左右一対のチルト角補正用のコイルと、該チルト角補正用のコイルに制御電流を供給する給電線とを少なくとも備え、前記各ワイヤを介して前記トラッキング用のコイルおよび前記フォーカシング用のコイルに供給される制御電流によりトラック方向およびフォーカス方向の駆動量が制御されるとともに、前記給電線を介して前記チルト角補正用のコイルに供給される制御電流によりチルト角方向の駆動量が制御されるように構成したものである。
【００１３】
このような手段により、前記レンズホルダが備える可動磁石と前記ベース部に配設されるチルト角補正用のコイルとの作用によりチルト角方向の補正を簡易且つ安価な構成で実現することができる。特に、チルト角補正用のコイルへの制御電流の供給は、前記レンズホルダを支持するためのワイヤを介することなく専用の給電線を介して行われるので、ワイヤを増やすなど構成を複雑にすることがなく、製造コストの低減を図ることができると共に、安定した動作特性を得ることができる。
【００１４】
また、前記可動磁石は、前記レンズホルダの下面の左右端部の近傍位置に固着されるようにできる。これにより、可動磁石をチルト回転軸より離間して配置することができるので、大きな回転モーメントを得ることができる。
【００１５】
また、前記トラッキング用のコイルは、前記レンズホルダの前面側と後面側に複数個にわたって配設され、前記フォーカシング用のコイルは、前記レンズホルダのフォーカス方向と垂直な方向の周面に巻回されて形成されるようにしてもよい。これにより、フォーカス方向とトラック方向の補正を簡易な構成で行うことができる。
【００１６】
また、前記トラッキング用のコイルおよび前記フォーカシング用のコイルは、前記レンズホルダの前面側および後面側にそれぞれ一対ずつ隣接して配設されると共に、前記レンズホルダの一方の面の前記トラッキング用のコイルは、他方の面のフォーカシング用のコイルと対向するように配設され、前記固定磁石は、一方の面において、前記トラッキング用のコイルと対向する位置にＳ極とＮ極あるいはＮ極とＳ極がフォーカス方向と垂直な方向の第１の境界線を介して隣接して配置される第１の部位と、前記フォーカシング用のコイルと対向する位置にＳ極とＮ極あるいはＮ極とＳ極がフォーカス方向の第２の境界線を介して隣接して配置される第２の部位とを有し、前記第１の部位と第２の部位において隣接する同極は、一つの磁区で形成されるように磁化された一体的な強磁性体で構成されるようにしてもよい。これにより、レンズホルダのフォーカス方向と垂直な方向の周面に巻回されるフォーカシング用のコイルを省略することができるので、構成を簡易化することができ、部品点数を低減して製造コストを低廉化することができる
【００１７】
また、前記固定磁石において、前記第１の境界線は、前記トラッキング用のコイルの中心点を通る直線と対向し、前記第２の境界線は、前記フォーカシング用のコイルの中心点を通る直線と対向するように形成するとよい。これにより、トラッキング用のコイルおよびフォーカシング用のコイルを精度よく駆動制御することができ、安定した動作特性を得ることができる。
【００１８】
【発明の実施の形態】
以下、本発明の実施の形態を図面に基づいて説明する。
図１は本発明の第１の実施例の光ヘッドの対物レンズ駆動装置を示す分離斜視図、図２はレンズホルダの下面を示す底面図、図３はこの駆動装置の平面図である。
【００１９】
この実施の形態の対物レンズ駆動装置は、例えばＤＶＤ−ＲやＤＶＤ−ＲＷなどの記録可能なＤＶＤ（Ｄｉｇｉｔａｌ  Ｖｅｒｓａｔｉｌｅ  Ｄｉｓｃ：デジタル多用途ディスク）ドライブ装置において、光ヘッド（光ピックアップとも云う）の対物レンズを光のフォーカス方向Ｆ、ディスク上のデータ列と直交するディスクの半径方向（トラック方向）Ｔｒ、ディスクの半径方向の傾きに相当するチルト角方向Ｔｉに微小な駆動を行って三軸方向の補正を行うものである。
【００２０】
この実施形態の対物レンズ駆動装置は、外部から照射されるレーザ光を集光する対物レンズ１１と、この対物レンズ１１を保持するレンズホルダ１２と、レンズホルダ１２のフォーカス方向と垂直な方向の周面にコイル用の被覆線を複数回にわたって巻回して形成されるフォーカシング用のコイルＦ１と、レンズホルダ１２の前面側１２ａと後面側１２ｂにそれぞれ２個ずつ固着されるトラッキング用の角型扁平コイルＴｒ１１，Ｔｒ１２，Ｔｒ２１，Ｔｒ２２と、レンズホルダ１２を支持するとともに各コイルに電流を供給する４本のワイヤＷ１〜Ｗ４と、これら４本のワイヤＷ１〜Ｗ４が固着されるワイヤ基板２０等から構成されている。
【００２１】
なお、コイルＴｒ１１、Ｔｒ１２、Ｔｒ２１およびＴｒ２２は、電気的に直列に接続されている。そして、コイルＴｒ１１からＴｒ２２にはワイヤＷ１とＷ２を介して制御電流が供給されるようになっている。また、フォーカシング用のコイルＦ１にはワイヤＷ３とＷ４を介して制御電流が供給されるようになっている。
【００２２】
また、レンズホルダ１２の側部に形成された凹部には、ワイヤＷ１，Ｗ２が配線接続されたプリント基板１３ａとワイヤＷ３，Ｗ４が配線接続されたプリント基板１３ｂが嵌め込まれ、それによりワイヤＷ１〜Ｗ４とレンズホルダ１２とが適当な位置で固定され、さらに、ワイヤＷ１〜Ｗ４とレンズホルダ１２内の配線とが電気的に接続されるようになっている。
【００２３】
また、ワイヤＷ１〜Ｗ４は、図２および図３に示されるように、レンズホルダ１２から斜めに延びてその一端がワイヤ基板２０に半田付けされるようになっている。ワイヤ基板２０にはワイヤＷ１〜Ｗ４の通過する範囲に共振防止用の緩衝ゲルが充填されるゲルボックス２２が設けられ、ワイヤＷ１〜Ｗ４はこの緩衝ゲル（図示略）の中を通過することにより共振防止が図られている。
【００２４】
さらに、図２の底面図に示されるように、レンズホルダ１２の下面の左右両端側には、チルト角補正用の磁石ｍ１，ｍ２が固着されている。なお、磁石ｍ１，ｍ２の後述するチルト角補正用のコイルＣ１，Ｃ２と対向する面の極性は、チルト角補正用のコイルＣ１，Ｃ２の励磁に伴って吸引力または反発力を生じるように決定されている。即ち、チルト角補正用のコイルＣ１，Ｃ２の電流の流れる方向が同じ向きである場合には、磁石ｍ１，ｍ２の下面の極性はＮ極かＳ極の互い違いになるように、コイルＣ１，Ｃ２の電流の流れる方向が逆となる場合には、磁石ｍ１，ｍ２の下面の極性は同一となるように取り付けられる。
【００２５】
一方、レンズホルダ１２が所定の間隙を置いて介在されるホルダ本体３０には、コイルＴｒ１１〜Ｔｒ２２が設けられたレンズホルダ１２の前面および後面に対向配置される２つの磁石３１，３２が固設されている。
なお、ホルダ本体３０およびワイヤ基板２０は、ベース枠４０に配設される。
【００２６】
また、磁石３１，３２のトラッキング用のコイルＴｒ１１〜Ｔｒ２２およびフォーカシング用のコイルＦ１と対向する面の極性は、これらのコイルＦ１の励磁に伴って吸引力または反発力を生じるように決定されている。図１に示す例では、磁石３１，３２の内側の面がともにＳ極となるように取り付けられている。なお、各コイルに流す電流の向きを逆にする場合には、磁石３１，３２の内側の面がともにＮ極となるようにすることもできる。
【００２７】
また、ホルダ本体３０の平板部の表面の左右端部には、レンズホルダ部Ｌ１をベース部Ｂ１に介在させた際に、レンズホルダ１２の下面に固着されたチルト角補正用の磁石ｍ１，ｍ２と対向するように、チルト角補正用のコイルＣ１，Ｃ２が配設されている。なお、このチルト角補正用のコイルＣ１，Ｃ２は、特に限定されないが、角型扁平コイルで構成することができる。また、コイルＣ１とＣ２は電気的に直列に接続されており、コイルＣ１およびＣ２に接続される給電線５０を介して制御電流が供給されるようになっている。
【００２８】
ここで、トラッキング用の角型扁平コイルＴｒ１１〜Ｔｒ２２は、正方形の各辺に沿った向きに導線が巻かれてなる薄型のコイルで、大きさや巻き数などは何れのコイルも同一である。
このような構成により、トラッキング用のコイルＴｒ１１〜Ｔｒ２２およびフォーカシング用のコイルＦ１へワイヤＷ１〜Ｗ４を介して通電される電流を適宜制御することにより、レンズホルダ１２にトラック方向Ｔｒおよびフォーカス方向Ｆの微小な駆動力を発生させて、トラッキング方向の位置補正およびフォーカス方向の位置補正を行うことができる。
【００２９】
また、給電線５０を介してチルト角補正用のコイルＣ１，Ｃ２へ通電される電流を適宜制御することにより、レンズホルダ１２にチルト角方向Ｔｉの微小な駆動力を発生させて、チルト角の補正を行うことができる。
例えば、コイルＣ１に右回転の電流が、コイルＣ２に左回転の電流が流された場合には、磁石ｍ１側に斥力、磁石ｍ２側に引力が働いて、図３上、レンズホルダ１２は右側が上がり、左側が下がるように傾けられ、逆に、コイルＣ１に左回転の電流が、コイルＣ２に右回転の電流が流された場合には、磁石ｍ１側に引力、磁石ｍ２側に斥力が働いて、レンズホルダ１２は右側が上がり、左側が下がるように傾けられる。このようにして、チルト角補正用のコイルＣ１，Ｃ２へ通電される電流を適宜制御することによりチルト角の補正を実現することができる。
【００３０】
なお、チルト角補正用のコイルＣ１，Ｃ２への制御電流の供給は、レンズホルダ１２を支持するためのワイヤＷ１〜Ｗ４を介することなく専用の給電線５０を介して行われるので、ワイヤを増やすなど構成を複雑にすることがなく、製造コストの低減を図ることができると共に、安定した動作特性を得ることができる。
【００３１】
次に、図４〜図７を参照して第２の実施形態に係る対物レンズ支持装置について説明する。
なお、第１の実施形態と同一の構成については同一符号を付して詳細な説明は割愛する。
ここで、図４は第２の実施形態に係る光ヘッドの対物レンズ駆動装置を示す分離斜視図、図５および図６はレンズホルダに固着される角型扁平コイルと磁石に現れる各磁極の配置関係を説明する図、図７は対物レンズ駆動装置の要部を構成するレンズホルダの下面を示す底面図である。
【００３２】
第２の実施形態においては、第１の実施形態と異なり、レンズホルダ１２のフォーカス方向と垂直な方向の周面に巻回されるフォーカシング用のコイルＦ１は設けられていない。
【００３３】
第２の実施形態においては、レンズホルダ１２の前面側１２ａと後面側１２ｂにそれぞれ２個ずつ固着される角型扁平コイルについて、一方をトラッキング用のコイルＴｒ３１，Ｔｒ３２として、他方をフォーカシング用のコイルＦ３１，Ｆ３２として用いるようになっている。
【００３４】
なお、図７の底面図に示されるように、トラッキング用のコイルＴｒ３１，Ｔｒ３２は、レンズホルダ１２の前面側と後面側とに、対物レンズ１１の中心軸に対して軸対称な位置に設けられ、フォーカシング用のコイルＦ３１，Ｆ３２も同様にレンズホルダ１２の前面側と後面側とに、対物レンズ１１の中心軸に対して軸対称な位置に設けられている。
【００３５】
また、トラッキング用のコイルＴｒ３１とＴｒ３２は、電気的に直列に接続され、ワイヤＷ１およびＷ２を介して制御電流が供給されるようになっている。また、フォーカシング用のコイルＦ３１とＦ３２は、電気的に直列に接続され、ワイヤＷ３およびＷ４を介して制御電流が供給されるようになっている。
【００３６】
一方、ベース部Ｂ２には、コイルＴｒ３１，Ｆ３１，Ｔｒ３２，Ｆ３２が設けられたレンズホルダ１２の前面および後面に対向配置される２つの一体的に磁化された磁石６１，６２が配設されている。
【００３７】
磁石６１の磁区は、図５（ａ）および（ｂ）に示されるように、フォーカシング用のコイルＦ３２の中心点を通る垂直線Ｖ１０と対向する垂直方向の境界線Ｖ２０と、トラッキング用のコイルＴｒ３２の中心点を通る水平線Ｈ１０と対向する水平方向の境界線Ｈ２０および境界線Ｈ２０と直交する垂直方向の境界線Ｖ５０により、矩形状の領域ｇ１０，ｇ３０と、逆Ｌ字状の領域ｇ２０の３つの領域に分割されている。そして、互いに隣り合う領域が異極となるように（図５（ａ）に示す例では、ｇ１０とｇ３０がＳ極、ｇ２０がＮ極）磁化されている。
【００３８】
また、磁石６１と対向して配設される磁石６２の磁区は、図６（ａ）および（ｂ）に示されるように、フォーカシング用のコイルＦ３１の中心点を通る垂直線Ｖ３０と対向する垂直方向の境界線Ｖ４０と、トラッキング用のコイルＴｒ３１の中心点を通る水平線Ｈ３０と対向する水平方向の境界線Ｈ４０および境界線Ｈ４０と直交する垂直方向の境界線Ｖ６０により、矩形状の領域ｇ４０，ｇ６０と、逆Ｌ字状の領域ｇ５０の３つの領域に分割されている。そして、互いに隣り合う領域が異極となるように（図６（ａ）に示す例では、ｇ４０とｇ６０がＳ極、ｇ５０がＮ極）磁化されている。
【００３９】
なお、トラッキング用のコイルＴｒ３２，Ｔｒ３１およびフォーカシング用のコイルＦ３１，Ｆ３２への電流制御の如何によっては、上記領域（ｇ１０〜ｇ３０およびｇ４０〜ｇ６０）の極性を逆にすることも可能である。
このような構成により、トラッキング用のコイルＴｒ３２およびＴｒ３１へワイヤＷ１およびＷ２を介して通電される電流を適宜制御することにより、レンズホルダ１２にトラック方向Ｔｒの微小な駆動力を発生させて、トラッキング方向の位置補正を行うことができる。
【００４０】
また、フォーカシング用のコイルＦ３１およびＦ３２へワイヤＷ３およびＷ４を介して通電される電流を適宜制御することにより、レンズホルダ１２にフォーカス方向Ｆの微小な駆動力を発生させて、フォーカス方向の位置補正を行うことができる。特に、本実施形態によれば、フォーカス方向の駆動は、軸対称な位置に設けられている２個のフォーカシング用のコイルＦ３１およびＦ３２によって行われるので、ネジリ方向の力が生じることがなく、より精度の高いフォーカス方向の位置補正を行うことができる。
【００４１】
また、チルト角の補正については、第１の実施形態と同様に給電線５０を介してチルト角補正用のコイルＣ１，Ｃ２へ通電される電流を適宜制御することにより、レンズホルダ１２にチルト角方向Ｔｉの微小な駆動力を発生させて行うことができる。
【００４２】
このように、第２の実施形態では、レンズホルダ１２のフォーカス方向と垂直な方向の周面に巻回されるフォーカシング用のコイルＦ１を省略することができるので、構成を簡易化することができ、部品点数を低減して製造コストを低廉化することができるというメリットがある。
【００４３】
また、第１および第２の実施形態に係る対物レンズ駆動装置は、ベース部Ｂ１，Ｂ２等に磁石から伸びる磁力線をより垂直にするためのヨーク（ヨーク３０Ａ，３０Ｂを有する場合の図８を参照）を持たず、それによりレンズホルダ１２をシンプルな構造にすることが出来るため、レンズホルダ１２の副次共振周波数を高くすることができ、副次的な共振の発生を抑えることが出来る。
【００４４】
＜変形例＞
図８には、本発明に係る対物レンズ駆動装置のその他の実施例を示す。
図１に示す第１の実施例では、磁石３１，３２から伸びる磁力線をより垂直にするためのヨーク部材を設けていなかったが、図８に示すように、ホルダ本体３０にヨーク部材３０Ａ，３０Ｂを立設する一方、レンズホルダ１２にヨーク部材３０Ａ，３０Ｂを挿通させる貫通孔１２Ａ，１２Ｂを設けた構造とすることも出来る。この場合、ホルダ本体３０は磁性体により構成する。
【００４５】
このようにしてヨーク部材３０Ａ，３０Ｂを設けることにより、磁石３１，３２から伸びる磁力線をヨーク部材３０Ａ，３０Ｂが無い場合に比して垂直にすることができ、それにより、トラッキング用の角型扁平コイルＴｒ１１，Ｔｒ１２，Ｔｒ２１，Ｔｒ２２およびフォーカシング用のコイルＦ１への制御電流による駆動制御を安定化させ且つその駆動力を大きくすることが出来る。
【００４６】
なお、本発明は、前記実施の形態に限られるものではなく、様々な変更が可能である。例えば、磁石ｍ１，ｍ２は、上記実施形態に示すようにレンズホルダ１２の下面の左右端部近傍に配設される場合に限らず、レンズホルダ１２の下面のトラック方向に対物レンズ１１の中心線から等距離で配設されていればよい。なお、その場合には、チルト角補正用のコイルＣ１，Ｃ２はそれらの磁石ｍ１，ｍ２と対向する位置に設けられることは云うまでもない。
【００４７】
また、上記実施形態では、チルト角補正用のコイルＣ１，Ｃ２を電気的に直列接続する場合について述べたが、これに限らず、コイルＣ１とコイルＣ２を接続せずに、別個に電流を供給して制御するようにしてもよい。
【００４８】
また、前記の実施の形態では、本発明をＤＶＤドライブに搭載される光ヘッドの対物レンズ駆動装置に適用した場合について説明したが、その他、光磁気ディスクの光ヘッドの対物レンズ駆動装置や、青紫レーザを用いて記録と再生を行うディスクドライブに搭載される光ヘッドの対物レンズ駆動装置など、種々のディスク駆動装置に適用することが出来る。
【００４９】
【発明の効果】
以上説明したように、本発明に従うと、チルト角方向の補正を簡易且つ安価な構成で実現することができるという効果が得られる。
特に、チルト角補正用のコイルへの制御電流の供給は、レンズホルダを支持するためのワイヤを介することなく専用の給電線を介して行われるので、ワイヤを増やすなど構成を複雑にすることがなく、製造コストの低減を図ることができると共に、安定した動作特性を得ることができるという効果がある。
【図面の簡単な説明】
【図１】本発明の第１の実施形態の対物レンズ駆動装置を示す分離斜視図である。
【図２】図１の対物レンズ駆動装置の要部を構成するレンズホルダの下面を示す底面図である。
【図３】図１の対物レンズ駆動装置の平面図である。
【図４】本発明の第２の実施形態の対物レンズ駆動装置を示す分離斜視図である。
【図５】レンズホルダに固着される角型扁平コイルと磁石に現れる各磁極の配置関係の一例を説明する図である。
【図６】レンズホルダに固着される角型扁平コイルと磁石に現れる各磁極の配置関係の他の例を説明する図である。
【図７】図４の対物レンズ駆動装置の要部を構成するレンズホルダの下面を示す底面図である。
【図８】本発明に係る対物レンズ駆動装置の変形例を示す分離斜視図である。
【符号の説明】
１１    対物レンズ
１２    レンズホルダ
３０    ホルダ本体
３１，３２  磁石
Ｗ１〜Ｗ４  ワイヤ
Ｔｒ１１，Ｔｒ１２，Ｔｒ２１，Ｔｒ２２  トラッキング用の角型扁平コイル
Ｆ１    フォーカシング用のコイル
ｍ１，ｍ２    チルト角補正用の磁石
Ｃ１，Ｃ２    チルト角補正用のコイル
Ｔｒ３１，Ｔｒ３２  トラッキング用のコイル
Ｆ３１，Ｆ３２    フォーカシング用のコイル
【図１】
2004295932.tif 000003
【図２】
2004295932.tif 000004
【図３】
2004295932.tif 000005
【図４】
2004295932.tif 000006
【図５】
2004295932.tif 000007
【図６】
2004295932.tif 000008
【図７】
2004295932.tif 000009
【図８】
2004295932.tif 000010